(57)【要約】【課題】マスクの非着用時にそのマスクを収容するマスクケースとして、マスクの着用時にそのマスクをカバーするマスクカバーとして使用することができるマスクケース兼用マスクカバーを提供すること。【解決手段】  マスクより大きい矩形状の第１シート２と、第１シートの四辺にそれぞれ接合する四辺を有する矩形状であり、その矩形状の短手方向の中央に長手方向に延びるスリット（開口）３ｃを形成する第２シート３ａ，３ｂと、から、マスクの非着用時にマスクを収容し、マスクの着用時にマスクをカバーするマスクケース兼用マスクカバーが構成される。マスクから外すことなく常に使用状態に置かれるため、紛失のリスクも生じない。【選択図】図１
2015119806.tif 000002
【特許請求の範囲】
【請求項１】
マスクの非着用時に前記マスクを収容し、前記マスクの着用時に前記マスクをカバーするマスクケース兼用マスクカバーであって、
前記マスクより大きい長方形状の第１シートと、
前記第１シートの四辺にそれぞれ接合する四辺を有する長方形状であり、該長方形状の短手方向の中央に長手方向に延びるスリットを有する第２シートと、
を備えるマスクケース兼用マスクカバー。
【請求項２】
前記第１及び第２シートの少なくとも一方のシートの前記四辺のうちの２つの短辺にそれぞれ２つ設けられた４つの紐部材をさらに備え、
前記紐部材の一端が前記一方のシートに固定され、他端が前記一方のシートに取り外し可能であることを特徴とする、請求項１に記載のマスクケース兼用マスクカバー。
【請求項３】
前記紐部材は、伸張可能であることを特徴とする、請求項２に記載のマスクケース兼用マスクカバー。
【請求項４】
前記第１シートは、前記長手方向に延びるプリーツを前記短手方向に複数有することを特徴とする、請求項１〜３のいずれか一項に記載のマスクケース兼用マスクカバー。
【発明の詳細な説明】
【技術分野】
【０００１】
本発明は、マスクの非着用時にマスクを収容し、マスクの着用時にマスクをカバーするマスクケース兼用マスクカバーに関する。
【背景技術】
【０００２】
呼吸により花粉等の微粒子を体内に吸い込むのを防ぐ、風邪等のウィルスを含んだ分泌物を周囲に飛散するのを防ぐなどのために、鼻口部を覆う衛生マスク（以下、マスクと呼ぶ）が使用される。そのマスクの外側表面を覆うことで衛生効果を高める、さらにファッション性を高めるマスクカバー（例えば、特許文献１及び２参照）が知られている。また、外出時に、着用したマスクを一時的に外して収容することでそのマスクを汚すことなく携帯することのできるマスクケース（例えば、特許文献３参照）が知られている。
【０００３】
マスクカバーは、マスクを着用する際に使用する。このとき、マスクケースは不要となる。マスクケースは、マスクを外すとき（携帯するとき）に使用する。このとき、マスクカバーは不要となる。つまり、マスクカバーとマスクケースのいずれか一方は常に不要である。しかし、外出時には、状況の変化（いわゆるＴＰＯ）に応じてマスクを着用し、また外すこともあるため、マスクカバーとマスクケースの両方を携帯しなければならず、使用しない一方を紛失するおそれも生じる。
【０００４】
それに対して、特許文献４及び５には、マスク着用時に取り外す必要のないマスクケースが開示されている。しかし、これらのマスクケースは、マスクを折り畳んで収容する構成であるため、折り畳むことのできない形状のマスクには使用できない。また、ファッション的な美的効果も、マスクカバーに比して小さなものとなってしまう。
【先行技術文献】
【特許文献】
【０００５】
【特許文献１】特開２０１２−２１７６６０号公報
【特許文献２】意匠登録第１３３４７５４号公報
【特許文献３】特開２０１３−０４８７１５号公報
【特許文献４】特開２００５−０００６１３号公報
【特許文献５】特開２００５−１３７８５８号公報
【発明の概要】
【発明が解決しようとする課題】
【０００６】
本発明は、マスクの非着用時にそのマスクを収容するマスクケースとして、マスクの着用時にそのマスクをカバーするマスクカバーとして使用することができるマスクケース兼用マスクカバーを提供することを課題とする。なお、発明の実装の形態に依存して、マスクケースとしての使用とマスクカバーとしての使用とを容易に転換できることも課題とする。
【課題を解決するための手段】
【０００７】
本発明は、マスクの非着用時に前記マスクを収容し、前記マスクの着用時に前記マスクをカバーするマスクケース兼用マスクカバーであって、前記マスクより大きい長方形状の第１シートと、前記第１シートの四辺にそれぞれ接合する四辺を有する長方形状であり、該長方形状の短手方向の中央に長手方向に延びるスリットを有する第２シートと、を備えるマスクケース兼用マスクカバーである。
【０００８】
これによれば、スリットを介してマスクを第１及び第２シートの間に収容することでマスクケースとして使用することができるとともに、マスクの表側に第１及び第２シートを重ねることでマスクカバーとしても使用することができる。それにより、マスクから外すことなく常に使用するため、紛失のリスクもない。
【０００９】
また、本発明のマスクケース兼用マスクカバーは、前記第１及び第２シートの少なくとも一方のシートの前記四辺のうちの２つの短辺にそれぞれ２つ設けられた４つの紐部材をさらに備え、前記紐部材の一端が前記一方のシートに固定され、他端が前記一方のシートに取り外し可能であることを特徴とする。
【００１０】
これによれば、４つの紐部材をマスクの紐に絡めて、その一端を一方のシートに取付けることで、第１及び第２シートをマスクに装着することができる。また、第１及び第２シートをマスクに装着したまま、マスクケースとしての使用とマスクカバーとしての使用とを容易に転換することができる。
【００１１】
また、本発明のマスクケース兼用マスクカバーは、前記紐部材は、伸張可能であることを特徴とする。
【００１２】
これによれば、紐部材がマスクの紐に柔軟に絡むため、マスクケースとしての使用とマスクカバーとしての使用とを容易に転換することができる。
【００１３】
また、本発明のマスクケース兼用マスクカバーは、前記第１シートは、前記長手方向に延びるプリーツを前記短手方向に複数有することを特徴とする。
【００１４】
これによれば、マスクを着用し、鼻口部を覆うそのマスクの表側に第１及び第２シートを重ねてマスクカバーとして使用する際に、複数のプリーツが広がることで第１シートがマスクの上から鼻口部全体を覆う。このとき、第２シートはそのスリットが広がることで鼻口部の周囲を覆い、第１シートのみが鼻口部を覆うことで、鼻口部を覆うマスクカバーの厚みが調整される。
【発明の効果】
【００１５】
本発明のマスクケース兼用マスクカバーによれば、マスクの非着用時にそのマスクを収容するマスクケースとして、マスクの着用時にそのマスクをカバーするマスクカバーとして使用することが可能となる。
【図面の簡単な説明】
【００１６】
【図１】図１は、マスクケース兼用マスクカバーの構成を示す図である。（実施例１）
【図２】図２は、マスクに重ねてマスクカバーとして使用されている状態におけるマスクケース兼用マスクカバーを示す図である。（実施例１）
【図３】図３は、マスクを収容してマスクケースとして使用されている状態におけるマスクケース兼用マスクカバーを示す図である。（実施例１）
【図４】図４は、プリーツを拡げてマスクカバーとして使用されている状態におけるマスクケース兼用マスクカバーを示す図である。（実施例２）
【図５】図５は、マスクケースとマスクカバーの転換を説明する図である。（実施例３）
【発明を実施するための形態】
【実施例１】
【００１７】
本発明の一実施形態について、図１〜３を用いて説明する。
【００１８】
本実施例のマスクケース兼用マスクカバー１は、一般に市販されている形状の衛生マスク（以下、単にマスクと呼ぶ）１０に対して使用するものとする。マスク１０は、一例として長辺１４ｃｍ及び短辺８ｃｍの矩形状とし、その２つの短辺には耳掛け紐１１が形成されている（図２参照）。
【００１９】
図１に、本実施例に係るマスクケース兼用マスクカバー１の構成を示す。図１（Ａ）及び（Ｂ）は、それぞれ、マスクケース兼用マスクカバー１の正面及び背面を示す。図１（Ｃ）は、図１（Ａ）における基準線ＣＣについてのマスクケース兼用マスクカバー１の断面を示す（図における（Ａ）、（Ｂ）及び（Ｃ）の意味は、図２、３及び４においても同様）。マスクケース兼用マスクカバー１は、第１シート２、第２シート３ａ，３ｂ、紐４ａ、並びに留め具４ｂから構成される。
【００２０】
第１シート２は、長辺１５ｃｍ及び短辺９ｃｍの矩形状を有し、ガーゼ、不織布等、通気性を有する布部材から構成されている（図１（Ａ）参照）。第１シート２には、長手方向に延びる幅約５ｍｍのプリーツ（折ひだ）２ａが、短手方向上側に上向きに２つ、短手方向下側に下向きに２つ、計４つ、短手方向に並設されている（図１（Ｃ）参照）。それにより、マスクケース兼用マスクカバー１をマスクカバーとして使用する際に、鼻口部を覆うマスク１０の上（表側）から第１シート２を重ねることで４つのプリーツ２ａが広がり、第１シート２がマスク１０の上から鼻口部全体を覆う。なお、プリーツ２ａの幅、数、位置、及び向きは、第１シート２が鼻口部全体にフィットするよう適宜定めることとする。
【００２１】
第２シート３ａ，３ｂは、長辺１５ｃｍ及び短辺３．５ｃｍの矩形状を有し、第１シート２と同質の布部材から構成されている（図１（Ｂ）参照）。第２シート３ａは、その上辺及び２つの短辺をそれぞれ第１シート２の上辺及び短辺の上側に接合することで、第１シート２の裏面上側を覆う。第２シート３ｂは、その下辺及び２つの短辺をそれぞれ第１シート２の下辺及び短辺の下側に接合することで、第１シート２の裏面下側を覆う。それにより、第２シート３ａ，３ｂの間に幅約２ｃｍのスリット（開口）３ｃが形成され、第１シート２と第２シート３ａ，３ｂとの間にその開口３ｃを介してマスク１０が収容される空間が形成される。
【００２２】
なお、本実施例のマスクケース兼用マスクカバー１では、第１シート２と第２シート３ａ，３ｂとをそれぞれ異なる布部材から構成し、互いに接合することとしたが、それに限らず、例えば１つの布部材の両端を折り返し、短辺のみを接合することとしてもよい。また、２つの第２シート３ａ，３ｂに代えて１つのシートを採用し、その中央にマスク１０を挿入するためのスリット（開口）３ｃを設けることとしてもよい。スリット（開口）３ｃの幅は、マスク１０を第１シート２と第２シート３ａ，３ｂとの間の空間内に入れることができれば、任意の幅及び形状を選択することができる。
【００２３】
紐４ａは、伸張可能なゴム等の紐部材であり、第１シート２の２つの短辺の上側及び下側の計４箇所に取りつけられている。紐４ａは、その両端が第１シート２に第２シート３ａ，３ｂとともに接合されて、ループを形成する。なお、第１シート２と第２シート３ａ，３ｂとは互いに接合されるため、紐４ａは第１シート２と第２シート３ａ，３ｂとのいずれに取り付けてもよい。
【００２４】
留め具４ｂは、一例としてボタンであり、第１シート２の四角の近傍の計４箇所に取り付けられている。後述するように、紐４ａのループをマスク１０の耳掛け紐１１に絡めて留め具４ｂに掛けることで、マスクケース兼用マスクカバー１がマスク１０に装着される。なお、留め具４ｂは紐４ａを着脱可能に留めることができれば、例えばホック、面ファスナ等を採用してもよい。
【００２５】
マスクケース兼用マスクカバー１をマスク１０に装着する方法及びその使用方法について説明する。
【００２６】
図２に、マスク１０に装着され、マスクカバーとして使用可能な状態にあるマスクケース兼用マスクカバー１を示す。マスク１０の表側にマスクケース兼用マスクカバー１の裏面、すなわち第２シート３ａ，３ｂを重ね（図２（Ｃ）参照）、ループ状の紐４ａを耳掛け紐１１に絡め（図２（Ｂ）参照）、その先端を留め具４ｂに掛けることにより（図２（Ａ）参照）、マスクケース兼用マスクカバー１がマスク１０に装着される。
【００２７】
装着後、耳掛け紐１１を耳に掛けてマスク１０を着用することで、マスクケース兼用マスクカバー１がマスクカバーとしてマスク１０とともに鼻口部をカバーする。このとき、第２シート３ａ，３ｂはそのスリット３ｃが広がることでそれぞれマスク１０の上部及び下部、すなわち鼻口部の周囲を覆い、第１シート２はその４つのプリーツ２ａが広がることでマスク１０の中央の上から鼻口部全体を覆う。このように、第１シート２のみが鼻口部を覆うことで、鼻口部を覆うカバーの厚みが調整される。
【００２８】
図３に、マスク１０を収容し、マスクケースとして使用されている状態にあるマスクケース兼用マスクカバー１を示す。耳掛け紐１１を耳から取り外してマスク１０を外し、開口３ｃを広げて第１シート２と第２シート３ａ，３ｂの間の空間にマスク１０を挿入する（図３（Ｃ）参照）。このとき、紐４ａが伸張可能な部材であるため、開口３ｃ内に位置するマスク１０の耳掛け紐１１の一部に延びて柔軟に絡むことで、紐４ａが耳掛け紐１１に絡んだ状態のまま、すなわち紐４ａを耳掛け紐１１から外すことなく、マスク１０をマスクケース兼用マスクカバー１の裏面に重ねた状態からマスクをマスクケース兼用マスクカバー１内に収容することが容易にできる。
【００２９】
マスク１０を収容後、マスクケース兼用マスクカバー１をマスクケースとして携帯する。再度、マスク１０を着用する際には、開口３ｃを広げてマスクケース兼用マスクカバー１内からマスク１０を取り出し、マスクケース兼用マスクカバー１の裏面に重ね、耳掛け紐１１を耳に掛けてマスク１０を着用する。紐４ａが耳掛け紐１１に柔軟に絡むため、マスク１０にマスクケース兼用マスクカバー１を装着した状態のまま、マスクケース兼用マスクカバー１からマスク１０を出し入れすることができる。従って、マスクケースとしての使用とマスクカバーとしての使用とを容易に転換することができる。
【００３０】
以上詳細に説明したように、本実施例のマスクケース兼用マスクカバー１は、マスク１０より大きい矩形状の第１シート２と、第１シートの四辺にそれぞれ接合する四辺を有する矩形状であり、その矩形状の短手方向の中央に長手方向に延びるスリット（開口）３ｃを形成する第２シート３ａ，３ｂと、から構成される。これにより、マスクの非着用時にマスクを収容し、マスクの着用時にマスクをカバーするマスクケース兼用マスクカバーが構成される。マスクから外すことなく常に使用状態に置かれるため、紛失のリスクも生じない。
【００３１】
なお、紐４ａとマスクの耳掛け紐１１とのいずれか一方が伸張可能であればよく、例えば使い捨てマスク等、マスクの紐が伸張不能なものに対しては、紐４ａが伸張可能であるとする。
【実施例２】
【００３２】
プリーツを拡げて使用する実施形態について、図４を用いて説明する。マスクケース兼用マスクカバー１は、実施例１と同一である。
【００３３】
図４に、マスク１０に装着され、プリーツを拡げてマスクカバーとして使用可能な状態にあるマスクケース兼用マスクカバー１を示す。プリーツを拡げている点を除き、図２と同様である。
【００３４】
プリーツを拡げることにより、第１シート２は、上下に拡幅され（図４（Ａ）参照）、第２シートの部材３ａ及び３ｂがそれぞれ上方、下方に移動し（図４（Ｂ）参照）、スリット３ｃが広がる。この状態を図４（Ｂ）に点線で示す。
【００３５】
図４（Ｃ）に示されるように、マスク１０に第２シートが重なっている箇所が少なくなり、マスク１０の過半が第１シート２のみに被覆される。シートが１枚のみとなり、マスク前方の通気性が向上し、呼吸が楽になる。
【実施例３】
【００３６】
マスクケースとマスクカバーの転換について、図５を用いて説明する。マスクケース兼用マスクカバー１は、実施例１及び２と同一である。図５は、上方（図２におけるＡ方向）から見た図である。
【００３７】
図５（Ａ）は、マスクカバーとして使用している状態から、マスクケースとして使用する状態への転換を示す。上段のようにマスクカバーとして使用している状態において、図に太矢印で示すように、シート（第１シート２）とマスク１０とを引き離す方向に引く。すると、耳掛け紐１１が紐４ａを通過して、中段のようにシートとマスク１０とが分離する。この状態において、図に太矢印で示すように、スリット３ｃを介して、マスクを第１シート２と第２シート３との間に収納する（下段参照）ことができる。
【００３８】
図５（Ｂ）は、マスクケースとして使用している状態から、マスクカバーとして使用する状態への転換を示す。上段のようにマスクケースとして使用している状態において、図に太矢印で示すように、第１シート２と第２シート３との間からマスク１０を引き出す。すると、中段のようにシートとマスク１０とが分離する。この状態において、図に太矢印で示すように、耳掛け紐１１を左右に引く。すると、耳掛け紐１１が紐４ａを通過して、下段のようにマスクカバーとして使用する状態となる。
【００３９】
以上詳細に説明したように、紐４ａを耳掛け紐１１から外すことなく、マスクケースとマスクカバーの転換が可能である。
【産業上の利用可能性】
【００４０】
本発明のマスクケース兼用マスクカバーによれば、マスクケースとしての使用とマスクカバーとしての使用とを容易に転換することができ、マスクの非着用時にそのマスクを収容するマスクケースとして、マスクの着用時にそのマスクをカバーするマスクカバーとして使用するのに好適である。多くの個人（特に女性）による利用が期待される。
【符号の説明】
【００４１】
１    マスクケース兼用マスクカバー
２    シート部材
２ａ  プリーツ
３ａ，３ｂ  シート部材
３ｃ  スリット（開口）
４ａ  紐
４ｂ  留め具
１０  衛生マスク（マスク）
１１  耳掛け紐
【図１】
2015119806.tif 000003
【図２】
2015119806.tif 000004
【図３】
2015119806.tif 000005
【図４】
2015119806.tif 000006
【図５】
2015119806.tif 000007